(57)【要約】【課題】アキュームレータからの荷重に対して高い剛性を備えたアキュームレータ支持部材を提案する。【解決手段】室外機のケーシングの底部６に対して起立する平板状の起立部７と、起立部７の上端側及び下端部における両側部に設けられた平板状部材からなる第１、第２腕部１２，１３及び第１、第２足部１０，１１とを備え、第１、第２腕部１２，１３は、一側縁部が起立部７の両側部に対し該起立部７の起立方向に沿ってそれぞれ結合され上端部でアキュームレータ４を支持し、第１、第２足部１０，１１は、一側縁部が前記起立部７の両側部に対し該起立部７の起立方向に沿ってそれぞれ結合され下端部でケーシングの底部６に支持されるアキュームレータ支持部材５を構成した。【選択図】図２
2010175138.tif 000002
【特許請求の範囲】
【請求項１】
空気調和機用室外機のケーシング内部に内蔵されるアキュームレータ（４）をその下部で支持し、前記ケーシングの底面（６）に取り付けられるアキュームレータ支持部材（５）であって、
前記ケーシングの底面（６）に対して起立する平板状の起立部（７）と、
前記起立部（７）の上端側において該起立部（７）の両側部に予め定められた間隔を介して設けられた平板状部材からなる第１及び第２腕部（１２，１３）と、
前記起立部（７）の下端側において該起立部（７）の両側部に予め定められた間隔を介して設けられた平板状部材からなる第１及び第２足部（１０，１１）と
を備え、
前記第１及び第２腕部（１２，１３）は、当該第１及び第２腕部（１２，１３）を構成する各平板状部材の一側縁部が前記起立部（７）の両側部に対し該起立部（７）の起立方向に沿ってそれぞれ結合されてその上端部で前記アキュームレータ（４）を支持し、
前記第１及び第２足部（１０，１１）は、当該第１及び第２足部（１０，１１）を構成する各平板状部材の一側縁部が前記起立部（７）の両側部に対し該起立部（７）の起立方向に沿ってそれぞれ結合されてその下端部で前記ケーシングの底面（６）に支持されるアキュームレータ支持部材（５）。
【請求項２】
前記第１及び第２腕部（１２，１３）のうち少なくとも前記起立部（７）に結合する側の所定部位は、前記起立部（７）に近い部位ほど平面領域が大きく形成されている請求項１に記載のアキュームレータ支持部材（５）。
【請求項３】
前記第１及び第２腕部（１２，１３）は、予め定められた端部がＬ字形状に折り曲げられてなる鍔部（１２ｂ，１２ｃ，１３ｂ，１３ｃ）を有する請求項１又は２に記載のアキュームレータ支持部材（５）。
【請求項４】
前記第１及び第２足部（１０，１１）のうち少なくとも前記起立部（７）に結合する側の所定部位は、前記起立部（７）に近い部位ほど平面領域が大きく形成されている請求項１乃至３のいずれかに記載のアキュームレータ支持部材（５）。
【請求項５】
前記第１及び第２足部（１０，１１）は、予め定められた端部がＬ字形状に折り曲げられてなる鍔部（１０ｂ，１０ｃ，１１ｂ，１１ｃ）を有する請求項４に記載のアキュームレータ支持部材（５）。
【請求項６】
前記起立部（７）の両側部うち前記第１腕部（１２）及び前記第１足部（１０）の間の部位と前記第２腕部（１３）及び前記第２足部（１１）の間の部位とに、予め定められた間隔を介して設けられた平板状部材からなる第１及び第２補強部（１４，１５）を更に備え、
前記第１及び第２補強部（１４，１５）は、当該第１及び第２補強部（１４，１５）を構成する各平板状部材の一側縁部が前記起立部（７）の両側部に対し該起立部（７）の起立方向に沿ってそれぞれ結合されている請求項１乃至５の何れかに記載のアキュームレータ支持部材（５）。
【請求項７】
金属を材質として形成されている請求項１乃至６の何れかに記載のアキュームレータ支持部材（５）。
【請求項８】
アキュームレータ（４）と、
前記アキュームレータ（４）をその下部で支持し、空気調和機用室外機のケーシングのうち前記アキュームレータ（４）の底面（６）に取り付けられる請求項１乃至７の何れかに記載のアキュームレータ支持部材（５）と
を備える空気調和機用室外機。
【発明の詳細な説明】
【技術分野】
【０００１】
本発明は、アキュームレータを空気調和機用室外機のケーシングに取り付けるための支持部材に関する。
【背景技術】
【０００２】
空気調和機用室外機には、圧縮機の吸入側にアキュームレータが設けられている。このアキュームレータは、アキュームレータ支持構造によって当該室外機のケーシングに固定される。例えば下記特許文献１には、アキュームレータが固定台（アキュームレータ支持部材）を介して室外機におけるケーシングの底板に固定される空気調和機用室外機において、前記固定台として、空気調和機用室外機の底板に対して起立する長板状の起立板と、該起立部に対して直交し、且つ当該固定台が取り付けられる室外機ケースの底面に密着する面を有するように、前記起立板に対して水平方向に結合する取付板と、前記起立板に対して直交し、且つ、前記室外機ケースの底面に平行な態様で前記起立板に対して水平方向に結合する載置板とを備え、前記取付板を前記ケーシングの底板に締結し、該載置板の上面でアキュームレータを支持する固定台が開示されている。
【先行技術文献】
【特許文献】
【０００３】
【特許文献１】特開平０８−１３６００８号公報
【発明の概要】
【発明が解決しようとする課題】
【０００４】
しかしながら、前記特許文献１に開示されている固定台にあっては、起立板に対する載置板の姿勢を一定に維持するための剛性や、取付板に対する起立板の姿勢を一定に維持するための剛性が不足していた。そのため、空気調和機用室外機の運搬等によって該室外機に振動が加わると、その振動に伴うアキュームレータからの荷重変化によって、起立板と載置板とが近接離反したり、取付板と起立板とが近接離反したりするように前記固定台が比較的大きく弾性変形し、比較的重量の大きいアキュームレータが比較的大きな振幅で変位（振動）する。
【０００５】
本発明は、上述した問題点を解決するためになされたものであり、アキュームレータからの荷重に対して高い剛性を備えたアキュームレータ支持部材を提案することを目的とする。
【課題を解決するための手段】
【０００６】
請求項１に記載の発明は、空気調和機用室外機のケーシング内部に内蔵されるアキュームレータ（４）をその下部で支持し、前記ケーシングの底面（６）に取り付けられるアキュームレータ支持部材（５）であって、前記ケーシングの底面（６）に対して起立する平板状の起立部（７）と、前記起立部（７）の上端側において該起立部（７）の両側部に予め定められた間隔を介して設けられた平板状部材からなる第１及び第２腕部（１２，１３）と、前記起立部（７）の下端側において該起立部（７）の両側部に予め定められた間隔を介して設けられた平板状部材からなる第１及び第２足部（１０，１１）とを備え、前記第１及び第２腕部（１２，１３）は、当該第１及び第２腕部（１２，１３）を構成する各平板状部材の一側縁部が前記起立部（７）の両側部に対し該起立部（７）の起立方向に沿ってそれぞれ結合されてその上端部で前記アキュームレータ（４）を支持し、前記第１及び第２足部（１０，１１）は、当該第１及び第２足部（１０，１１）を構成する各平板状部材の一側縁部が前記起立部（７）の両側部に対し該起立部（７）の起立方向に沿ってそれぞれ結合されてその下端部で前記ケーシングの底面（６）に支持されるアキュームレータ支持部材（５）である。
【０００７】
この発明によれば、平板状部材からなる前記第１及び第２腕部を、当該第１及び第２腕部を構成する各平板状部材の一側縁部が前記起立部の両側部に対し該起立部の起立方向に沿ってそれぞれ結合してその上端部で前記アキュームレータを支持するように構成し、且つ、平板状部材からなる前記第１及び第２足部を、当該第１及び第２足部を構成する各平板状部材の一側縁部が前記起立部の両側部に対し該起立部の起立方向に沿ってそれぞれ結合してその下端部で前記ケーシングの底面に支持されるように構成したので、鉛直方向の荷重を支えるアキュームレータ支持部材は、前記第１，第２腕部及び第１，第２足部が起立部に対しその起立方向に沿って結合する構成を備えることによって、従来に比して、アキュームレータからの荷重に対する剛性が高いアキュームレータ支持部材を実現することができる。
【０００８】
請求項２に記載の発明は、請求項１に記載のアキュームレータ支持部材（５）において、前記第１及び第２腕部（１２，１３）のうち少なくとも前記起立部（７）に結合する側の所定部位は、前記起立部（７）に近い部位ほど平面領域が大きく形成されているものである。
【０００９】
この発明によれば、前記第１及び第２腕部のうち少なくとも前記起立部に結合する側の所定部位を、前記起立部に近い部位ほど平面領域が大きくなるように形成したので、起立部に対する前記第１及び第２腕部の姿勢を一定に維持するための高い剛性を確保しつつ、第１、第２腕部を一定の幅（前記起立部との結合部分の長さ）で平面領域が広がる構成に比してアキュームレータ支持部材の肉を可及的に低減することができる。
【００１０】
請求項３に記載の発明は、請求項１又は２に記載のアキュームレータ支持部材（５）において、前記第１及び第２腕部（１２，１３）は、予め定められた端部がＬ字形状に折り曲げられてなる鍔部（１２ｂ，１２ｃ，１３ｂ，１３ｃ）を有するものである。
【００１１】
この発明によれば、前記第１及び第２腕部は、予め定められた端部がＬ字形状に折り曲げられてなる鍔部を備えたので、前記第１及び第２腕部自体の変形を発生し難くすることができる。
【００１２】
請求項４に記載の発明は、請求項１乃至３のいずれかに記載のアキュームレータ支持部材（５）において、前記第１及び第２足部（１０，１１）のうち少なくとも前記起立部（７）に結合する側の所定部位は、前記起立部（７）に近い部位ほど平面領域が大きく形成されているものである。
【００１３】
この発明によれば、前記第１及び第２足部のうち少なくとも前記起立部に結合する側の所定部位を、前記起立部に近い部位ほど平面領域が大きくなるように形成したので、起立部に対する前記第１及び第２足部の姿勢を一定に維持するための高い剛性を確保しつつ、第１、第２足部を一定の幅（前記起立部との結合部分の長さ）で平面領域が広がる構成に比してアキュームレータ支持部材の肉を可及的に低減することができる。
【００１４】
請求項５に記載の発明は、請求項４に記載のアキュームレータ支持部材（５）において、前記第１及び第２足部（１０，１１）は、予め定められた端部がＬ字形状に折り曲げられてなる鍔部（１０ｂ，１０ｃ，１１ｂ，１１ｃ）を有するものである。
【００１５】
この発明によれば、前記第１及び第２足部に、予め定められた端部がＬ字形状に折り曲げられてなる鍔部を備えたので、前記第１及び第２足部自体の変形を発生し難くすることができる。
【００１６】
請求項６に記載の発明は、請求項１乃至５の何れかに記載のアキュームレータ支持部材において、前記起立部（７）の両側部うち前記第１腕部（１２）及び前記第１足部（１０）の間の部位と前記第２腕部（１３）及び前記第２足部（１１）の間の部位とに、予め定められた間隔を介して設けられた平板状部材からなる第１及び第２補強部（１４，１５）を更に備え、前記第１及び第２補強部（１４，１５）は、当該第１及び第２補強部（１４，１５）を構成する各平板状部材の一側縁部が前記起立部（７）の両側部に対し該起立部（７）の起立方向に沿ってそれぞれ結合されているものである。
【００１７】
この発明によれば、前記第１腕部及び前記第１足部の間の部位と前記第２腕部及び前記第２足部の間の部位とに、予め定められた間隔を介して設けられた平板状部材からなる第１及び第２補強部を、当該第１及び第２補強部を構成する各平板状部材の一側縁部が前記起立部の両側部に対し該起立部の起立方向に沿ってそれぞれ結合される形で設けたので、アキュームレータ支持部材の座屈をできるだけ抑制し、アキュームレータからの荷重に対する剛性が高いアキュームレータ支持部材を実現することができる。
【００１８】
請求項７に記載の発明は、請求項１乃至６の何れかに記載のアキュームレータ支持部材（５）において、金属を材質として形成されているものである。
【００１９】
この発明によれば、アキュームレータ支持部材を金属で構成したので、アキュームレータからの荷重に対する剛性が高いアキュームレータ支持部材を実現することができる。
【００２０】
請求項８に記載の発明は、アキュームレータ（４）と、前記アキュームレータ（４）をその下部で支持し、空気調和機用室外機のケーシングのうち前記アキュームレータ（４）の底面（６）に取り付けられる請求項１乃至７の何れかに記載のアキュームレータ支持部材（５）とを備える空気調和機用室外機である。
【００２１】
この発明によれば、空気調和機用室外機の運搬等によって該室外機に振動が加わった場合であっても一定の位置でアキュームレータが支持される空気調和機用室外機を実現することができる。
【発明の効果】
【００２２】
本発明によれば、アキュームレータからの荷重に対して高い剛性を備えたアキュームレータ支持部材、及び、アキュームレータがより確実に固定された空気調和機用室外機を実現することができる。よって、空気調和機用室外機の運搬等によって該室外機に振動が加わった場合であっても、アキュームレータをほとんど変位（振動）させることなく支持する構成を実現することができる。
【図面の簡単な説明】
【００２３】
【図１】空気調和機用室外機におけるアキュームレータ支持部材の周辺の構成を示す斜視図である。
【図２】（ａ）は、アキュームレータがアキュームレータ支持部材に支持されている状態を示す斜視図、（ｂ）は、アキュームレータがアキュームレータ支持部材に支持されている状態において、アキュームレータとアキュームレータ支持部材とが接触している部分を拡大した拡大図、（ｃ）は、アキュームレータ支持部材単体の斜視図である。
【図３】アキュームレータ支持部材の利点の説明図である。
【発明を実施するための形態】
【００２４】
以下、本発明に係るアキュームレータ支持部材の実施形態について図面を参照して説明する。図１は、空気調和機用室外機におけるアキュームレータ支持部材の周辺の構成を示す斜視図である。
【００２５】
室外機は、図略のケースを有し、該ケースの内部が仕切板１により２つの部屋２，３に仕切られている。一方の部屋２にはアキュームレータ４が収容されている。以下、この部屋２をアキュームレータ収容室２という。なお、図示していないが、この部屋２には、前記アキュームレータ４の他に圧縮機が収容されており、また、他方の部屋３には、熱交換器やファンが収容されている。アキュームレータ収容室２内に設置されたアキュームレータ４は、その下部が金属製（例えば鉄やステンレス鋼など）のアキュームレータ支持部材５により支持されているとともに、このアキュームレータ支持部材５を介してケーシング底部９に固定されている。
【００２６】
図２（ａ）は、アキュームレータ４がアキュームレータ支持部材５に支持されている状態を示す斜視図、図２（ｂ）は、アキュームレータ４がアキュームレータ支持部材５に支持されている状態におけるアキュームレータ４とアキュームレータ支持部材５との接触部分を拡大した拡大図、図２（ｃ）は、アキュームレータ支持部材５単体の斜視図である。なお、図２（ａ）〜（ｃ）では、アキュームレータ４及びアキュームレータ支持部材５以外の部材の図示は省略している。また、図２（ｂ）において紙面に直交する方向を左右方向、図２（ｂ）の右側を前、左側を後というものとする。
【００２７】
図２（ａ），（ｂ）に示すように、アキュームレータ支持部材５は、円柱形状を有するアキュームレータ４をその下部で支持するものであり、起立部７と、ベース部８と、アキュームレータ載置部９とを備えている。
【００２８】
起立部７は、略平板形状を有する部位であり、アキュームレータ支持部材５がケーシング底部６に取り付けられたときに前記ケーシング底部６に対して起立する。
【００２９】
ベース部８は、前記起立部７における下端側の左右両側方から前方に向かって延びる第１、第２足部１０，１１を有する。第１、第２足部１０，１１は、左右方向に所定間隔Ｌ１だけ離間する。
【００３０】
第１，第２足部１０，１１は、略平板形状を有する平板部１０ａ，１１ａと、平板部１０ａ，１１ａに対しその前端で直交する第１鍔部１０ｂ，１１ｂと、該平板部１０ａ，１１ａに対しその下端で直交する第２鍔部１０ｃ，１１ｃ（第１鍔部１０ｃは図面には表れていない）とを有する。
【００３１】
平板部１０ａ，１１ａは、前記起立部７がなす平面と略直交し、且つ、アキュームレータ支持部材５がケーシング底部６に取り付けられたときに、一側縁部が前記起立部７の両側部に対し該起立部７の起立方向に沿ってそれぞれ結合されており（結合部分Ｋ１）、アキュームレータ支持部材５がケーシング底部６に取り付けられると該ケーシング底部６に対して起立する。
【００３２】
また、平板部１０ａ，１１ａのうち前記起立部７との結合部分Ｋ１から前方所定長さまでの領域においては、前記起立部７に近い部位ほど平面領域が大きくなるように形成されている。なお、その他の部位は先端側が若干大きな幅を有するように形成されている。
【００３３】
第１鍔部１０ｂ，１１ｂは、前記平板部１０ａ，１１ａの上縁部分において該平板部１０ａ，１１ａに対し直交する部位であり、主に、第１鍔部１０ｂ，１１ｂ自身を変形し難くすると共に、冷媒配管又は配線を載置又は支持するために形成された部位である。
【００３４】
第２鍔部１０ｃ，１１ｃは、第１鍔部１０ｂ，１１ｂと同様、前記平板部１０ａ，１１ａの下縁部分において該平板部１０ａ，１１ａに対し直交する部位であり、主に、第２鍔部１０ｃ，１１ｃ自身を変形し難くすると共に、アキュームレータ支持部材５をケーシング底部６に対し安定して起立させるために形成された部位である。第１鍔部１０ｂ，１１ｂ、第２鍔部１０ｃ，１１は、例えば折り曲げられることにより形成される。
【００３５】
第２足部１１における平板部１１ａの前端には、側面視でＵ字形状を有する係止部１１ｄが形成されている。係止部１１ｄは、ケーシング底部６の端部に形成された鍔部６ａに係合される部位である。アキュームレータ支持部材５は、この係止部１１ｄで前記ケーシング底部６に螺子で締結されることにより固定される。
【００３６】
アキュームレータ載置部９は、前記起立部７における上端側の左右両側部から前方に向かって延びる第１、第２腕部１２，１３を有する。第１、第２腕部１２，１３は、左右方向に所定間隔Ｌ２だけ離間する。
【００３７】
第１，第２腕部１２，１３は、略平板形状を有する平板部１２ａ，１３ａと、該平板部１２ａ，１３ａに対しその前端で直交する第１鍔部１２ｂ，１３ｂと、該平板部１２ａ，１３ａに対しその下端で直交する第２鍔部１２ｃ，１３ｃ（第２鍔部１２ｃは図面には表れていない）とを有する。
【００３８】
平板部１２ａ，１３ａは、前記起立部７がなす平面と略直交し、且つ、アキュームレータ支持部材５がケーシング底部６に取り付けられたときに、一側縁部が前記起立部７の両側部に対し該起立部７の起立方向に沿ってそれぞれ結合されており（結合部分Ｋ２）、アキュームレータ支持部材５がケーシング底部６に取り付けられると該ケーシング底部６に対して直交する姿勢となる。
【００３９】
また、平板部１２ａ，１３ａのうち前記起立部７との結合部分Ｋ２から前方所定長さまでの領域においては、前記起立部７に近い部位ほど平面領域が大きくなるように形成されている。なお、その他の部位は先端側が若干大きな幅を有するように形成されている。このような構成を備えた平板部１２ａ，１３ａは、上端縁で前記アキュームレータを支持する。
【００４０】
第１鍔部１２ｂ，１３ｂは、前記平板部１２ａ，１３ａの上縁部分において該平板部１２ｂ，１３ｂに対し直交する部位であり、主に、第１鍔部１２ｂ，１３ｂ自身を変形し難くすると共に、空気調和機用室外機のケース壁面に面接触してアキュームレータ支持部材５をケーシング底部６に安定して起立させるために形成された部位である。
【００４１】
第２鍔部１２ｃ，１３ｃは、第１鍔部１２ｂ，１３ｂと同様、前記平板部１２ａ，１３ａの下縁部分において該平板部１２ａ，１３ａに対し直交する部位であり、主に、第２鍔部１２ｃ，１３ｃ自身を変形し難くすると共に、主に、図略の締結部材を用いて冷媒配管又は配線を支持（固定）するために形成された部位である。
【００４２】
起立部７の上端縁と、第１，第２腕部１０，１１の平板部１２ａ，１３ａにおける上端縁は、アキュームレータ４の下面にフィットするように、アキュームレータ４の下面の形状に合わせて形成されている。これにより、起立部７の上端縁及び第１，第２腕部１０，１１の平板部１２ａ，１３ａにおける上端縁にアキュームレータ４が載置されたときに、アキュームレータ支持部材５はアキュームレータ４をその下部で安定して支持することができる。
【００４３】
前記起立部７における第１足部１０及び第１腕部１２の間と第２足部１１と第２腕部１３との間の左右両側方から前方に向かって延びる第１、第２補強部１４，１５を有する。第１、第２補強部１４，１５は、前記起立部７がなす平面と略直交する平板状の部位であり、アキュームレータ支持部材５がケーシング底部６に取り付けられたときに、一側縁部が、前記起立部７の両側部に対し該起立部７の起立方向に沿ってそれぞれ結合されている。
【００４４】
これらアキュームレータ載置部９、起立部７、ベース部８及び第１，第２補強部１４，１５によって、図２（ｂ）に示すように、アキュームレータ支持部材５は左右側面視で略「Ｕ」字状の形状をなし、アキュームレータ載置部９、起立部７及びベース部８により囲まれてなる間隙が、冷媒配管や配線（図２（ｂ）において点線で示している）を配置するための空間Ｓとして形成されている。
【００４５】
本実施形態においては、１枚の金属板を曲折整形することにより起立部７、第１、第２足部１０，１１、第１、第２腕部１２，１３が形成されているが、これに限らず、起立部７、第１、第２足部１０，１１及び第１、第２腕部１２，１３に相当する部材を別々に作成し、各部材を前述の態様で前記起立部７に溶接することにより、前述した構成を有するアキュームレータ支持部材５を作成するようにしてもよい。
【００４６】
本実施形態のアキュームレータ支持部材５によれば、第１、第２腕部１２，１３の平板部１２ａ，１３ａを、前記起立部７がなす平面と略直交し、且つ、アキュームレータ支持部材５がケーシング底部６に取り付けられたときに、一側縁部を、記起立部７の両側部に対し該起立部７の起立方向に沿ってそれぞれ結合した。
【００４７】
したがって、従来に比して、アキュームレータ４からの荷重に対する剛性の高いアキュームレータ支持部材を実現することができる。
【００４８】
図３は、アキュームレータ支持部材５の概略側面図である。図３に示すように、アキュームレータ支持部材５にアキュームレータ４が載置されることにより、第１、第２腕部１２，１３の重心Ｏに荷重Ｆが付与された場合を想定する。またこの場合において、起立部７と第１腕部１２との結合線Ｌ上の或る点Ｐに着目する。
【００４９】
このとき、前記荷重Ｆを、点Ｐと前記重心Ｏとを結ぶ線分Ｑの方向の成分Ｆｘと、該方向に直交する方向の成分Ｆｙとに分解すると、第１腕部１２の点Ｐの部位において、前記成分Ｆｘと同一の大きさで逆向きの抗力Ｆｃが発生する。そして、このような抗力Ｆｃが前記結合線Ｌ上の全ての点において発生する。
【００５０】
ここで、従来技術においては、図３（ｂ）の矢印Ｘで示すように、アキュームレータが載置される部位と前記起立部７とが、側方からみたときに点状とみなせる態様で結合した形態であったため、抗力Ｆｃの合力は非常に小さいものであった。
【００５１】
これに対し、本実施形態のアキュームレータ支持部材５においては、前記起立部７と前記第１，第２腕部１２，１３とが前記起立部７の起立方向に沿って結合されているため、前記抗力Ｆｃの合力が前記従来技術に比して非常に大きくなる。
【００５２】
これにより、起立部７に対する前記第１、第２足部１０ａ，１１ａの姿勢を一定に維持するための高い剛性を確保することができる。
【００５３】
また、第１，第２足部１０，１１の平板部１０ａ，１１ａを、前記起立部７がなす平面と略直交し、且つ、アキュームレータ支持部材５がケーシング底部６に取り付けられたときに、一側縁部を、前記起立部７の両側部に対し該起立部７の起立方向に沿ってそれぞれ結合したので、前記第１，第２腕部１２，１３の平板部１２ａ，１３ａと同様の理由から、従来に比して、起立部７に対する前記第１、第２腕部１２ａ，１３ａの姿勢を一定に維持するための高い剛性を確保することができる。
【００５４】
さらに、アキュームレータ支持部材５は、前記起立部７における第１足部１０及び第１腕部１２の間と第２足部１１と第２腕部１３との間の左右両側方から前方に向かって延びる第１、第２補強部１４，１５を備え、第１、第２補強部１４，１５を、前記起立部７がなす平面と略直交する平板状の部位とし、アキュームレータ支持部材５がケーシング底部６に取り付けられたときに、その一側縁部を、前記起立部７の両側部に対し該起立部７の起立方向に沿ってそれぞれ結合した。
【００５５】
これにより、アキュームレータ支持部材５の座屈をできるだけ抑制することができ、アキュームレータ４からの荷重に対する剛性が高いアキュームレータ支持部材５を実現することができる。
【００５６】
これらの結果、従来技術に比して非常に高い剛性を有するアキュームレータ支持部材５を実現することができ、本実施形態のアキュームレータ支持部材５は、例えば空気調和機用室外機の運搬等によって該室外機に振動が加わることで該振動に伴うアキュームレータからの荷重変化を受けても弾性変形が極めて発生し難くなり、各部で締結する螺子の締結状態が緩んだり、多大な負荷が作用する部位が発生したりするのをできるだけ防止することができる。
【００５７】
また、第１、第２足部１０，１１の平板部１０ａ，１１ａのうち前記起立部７から前方所定長さまでの領域については、前記起立部７に遠い部位ほど平面領域が小さくなるように形成したので、起立部７に対する前記第１、第２足部１０ａ，１１ａの姿勢を一定に維持するための高い剛性を確保しながら、第１、第２足部１０，１１を一定幅（結合部分の長さＫ１）で延びる部位とする構成に比して、アキュームレータ支持部材５の肉部分を可及的に低減することができる。
【００５８】
同様に、第１、第２腕部１２，１３の平板部１２ａ，１３ａのうち前記起立部７から前方所定長さまでの領域については、前記起立部７に遠い部位ほど平面領域が小さくなるように形成したので、起立部７に対する前記第１、第２腕部１２ａ，１３ａの姿勢を一定に維持するための高い剛性を確保しながら、第１、第２腕部１２，１３を一定幅（結合部分の長さＫ２）で延びる部位とする構成に比して、アキュームレータ支持部材５の肉部分を可及的に低減することができる。
【００５９】
また、第１、第２足部１０，１１の適所に、前記平板部１０ａ，１１ａに対して直交する鍔部１０ｂ，１１ｂ，１０ｃ，１１ｃを形成したので、これらの鍔部１０ｂ，１１ｂ，１０ｃ，１１ｃを形成しない構成に比して、前記平板部１０ａ，１１ａ自身を変形し難い構造にすることができる。
【００６０】
同様に、第１、第２腕部１２，１３の適所に、前記平板部１２ａ，１３ａに対して直交する鍔部１２ｂ，１３ｂ，１２ｃ，１３ｃを形成したので、これらの鍔部１２ｂ，１３ｂ，１２ｃ，１３ｃを形成しない構成に比して、前記平板部１２ａ，１３ａ自身を変形し難い構造にすることができる。
【符号の説明】
【００６１】
４    アキュームレータ
５    アキュームレータ支持部材
６    ケーシング底部
７    起立部
８    ベース部
９    アキュームレータ載置部
１０，１１  第１，第２足部
１０ａ，１１ａ  平板部
１０ｂ，１１ｂ  第１鍔部
１０ｃ，１１ｃ  第２鍔部
１１ｄ  係止部
１２，１３  第１，第２腕部
１２ａ，１３ａ  平板部
１２ｂ，１３ｂ  第１鍔部
１２ｃ，１３ｃ  第２鍔部
１４，１５  第１、第２補強部
Ｋ１，Ｋ２  結合部分
【図１】
2010175138.tif 000003
【図２】
2010175138.tif 000004
【図３】
2010175138.tif 000005